(57)【特許請求の範囲】
【請求項１】
カードリーダにカードを読ませてＩＤ認証し入退室を管理するシステムにおいて、
複数のカードの各々は、電気錠の解錠許可／不許可を示す固有のＩＤコードを持ち、電気錠の解錠許可／不許可を示す解錠フラグを各カードリーダの中に事前に登録されたＩＤコード毎に割り当て、前記各カードリーダの中に事前に登録されたＩＤコードと対応する前記解錠フラグの解錠許可／不許可の状態に基づいて通常は施錠状態にある電気錠の解錠許可／不許可を決定する機能を備えた複数のカードリーダと、
前記カードリーダにて読み取られた前記カードのＩＤコードを収集し、他の前記カードリーダに対して前記解錠フラグを設定する制御装置と、を含み、
前記制御装置には、複数の部屋構成において複数の入退室経路を任意に設定するために、入退室経路の種別の数だけ複数存在し、各カードのＩＤコード毎に個別に割り当てられ、それぞれ、カードを読ませたカードリーダに対して、他のどのカードリーダの解錠フラグを解錠許可／不許可にするかを設定する情報を持ち、各カードのＩＤコード毎に個別の経路を設定する複数の入退室シーケンステーブルと、前記複数の入退室シーケンステーブルのどれを割り当てるかを定義する解錠フラグデータベースが備えられていることを特徴とする入退室管理システム。
【請求項２】
請求項１記載の入退室管理システムにおいて、
前記制御装置は、前記各カードのＩＤコードに対応する前記解錠フラグに基づいて、前記制御装置に接続された他の前記カードリーダの前記解錠フラグを前記制御装置に設定した入退室経路に基づき、カードリーダにカードを読ませた時点の状況変化に応じて動的に変更することにより複数の部屋構成の経路を制御できる機能を備えたことを特徴とする入退室管理システム。
【請求項３】
請求項１記載の入退室管理システムにおいて、
前記各カードのＩＤコード毎に複数設定された前記解錠フラグの設定条件を個別に設定できる機能を備えたことにより、複数経路を任意に設定できることを特徴とする入退室管理システム。
【発明の詳細な説明】
【０００１】
【発明の属する技術分野】
本発明は、入退室管理技術に関し、特に、複雑な部屋構成における入退室管理等に適用して有効な技術に関する。
【０００２】
【従来の技術】
固有のＩＤコードを持つカードを使った入退室管理において、入室および退室のいずれにおいてもカードの読み取りを必須とするアンチパスバックスルー制御などの入退室管理を行う場合、以下のような入退室管理が考えられる。すなわち、入室用カードリーダでカードを読ませ入室した場合、カードリーダを管理する制御装置にて、初回利用時または、過去の退室時に退室用カードリーダにカードを読ませて退室した場合は在室していないと判断し、在室していなければ電気錠を解錠して入室許可とし、在室していれば電気錠を施錠したままとして入室不許可とする。
【０００３】
また、退室時は退室用カードリーダにカードを読ませ、入室前に入室用カードリーダでカードを読ませて入室すれば在室と制御装置にて判断を行い、在室しているならば、電気錠を解錠して退室許可とし、在室していないならば、電気錠を施錠したままとして退室不許可とする。
【０００４】
従来は、以上のような、在室状況の把握によって個々のカードの所有者等の入退室の判断を行っていた。
【０００５】
【発明が解決しようとする課題】
複数の部屋から構成される設備の場合において入退室経路による入退室の管理を行いたい場合、入退室時にどのカードリーダでカードを読ませたかによって、入退室のための電気錠の解錠許可および不許可を行う必要がある。
【０００６】
ところが、上述の従来の在室状況による入退室の管理方式では、どの入室用カードリーダにカードを読ませて入室したか判定できないため、複数のカードリーダを用いた、状況に応じた動的な入退室管理は行えない、という技術的課題があった。
【０００７】
本発明の目的は、複数の部屋構成において複数の入退室経路を任意に設定することが可能な入退室管理技術を提供することにある。
【０００８】
本発明の他の目的は、複数の部屋構成において複数のカードＩＤ毎に複数の入退室経路を任意に設定することが可能な入退室管理技術を提供することにある。
【０００９】
本発明の他の目的は、大きな情報通信の負荷を生じることなく、多数のカードＩＤ毎に複数の入退室経路を任意に設定することが可能な入退室管理技術を提供することにある。
【００１０】
【課題を解決するための手段】
本発明は、カードリーダでの認証を、個々のカードに割り当てられたＩＤコードと、各カードおよび各カードリーダの少なくとも一方毎に設定される解錠フラグとの組み合わせによって行うことで、入退室の許可および不許可を決定するとともに、解錠フラグの設定状態を必要に応じて動的に変更することで、多様な入退室管理を実現するものである。
【００１１】
より具体的には、一例として、カードによる照合判定機能と、カード毎に割り当てた電気錠の解錠許可および不許可を設定する解錠フラグによる判定機能を備えたカードリーダと、このカードリーダが接続され、カードリーダからカードのＩＤコードを収集し、判定処理を行い他のカードリーダに対してカード毎に割り当てた解錠フラグを設定・制御する制御装置とにより入退室管理システムを構成するものである。制御装置はカードを読みとったカードリーダと読みとったカードのＩＤコードから設定した条件に基づきカードに割り当てた解錠フラグを設定することができる。また、この設定条件はＩＤコード毎に設定が可能である。
【００１２】
本発明によれば、カードとカードリーダを用いた入退室管理において、入室した場所に応じて、入退室条件を動的に変化させることができ、これにより単なる在室管理による入退室だけでなく、多様な入室経路の設定や判定などの入退室管理が行える。また、カードのＩＤ毎に判定条件を設定できるため、これらの入退室管理を利用者毎の条件で設定することができる。即ち、カード毎にカードリーダに読ませた後、次に有効となるカードリーダを指定するため、条件設定が簡略化される。このように複雑な部屋構成の建物等における多様な入退室経路を管理できる入退室管理システムを構築することができる。
【００１３】
【発明の実施の形態】
以下、本発明の実施の形態を図面を参照しながら詳細に説明する。
【００１４】
図１は、本発明の一実施の形態である入退室管理システムの構成の一例をブロック図である。
【００１５】
本実施の形態の入退室管理システムは、制御装置１０１に、通信回線１０５、通信回線１０８を介して、カードリーダ＃０（１０２），カードリーダ＃１（１０６）、等の複数のカードリーダを接続した構成となっている。
【００１６】
複数のカードリーダ１０２，カードリーダ１０６の各々は、解錠フラグ１０４および解錠フラグ１０７を持つとともにカードリーダ番号によって制御装置１０１から管理され、後述のように、読ませたカード１０３のＩＤコードの照合判定結果と、各々が持つ解錠フラグ１０４，１０７の値から電気錠の施解錠を行う。
【００１７】
利用者は固有のＩＤコードを持つカード１０３をカードリーダ＃０（１０２）に読ませ、照合判定結果で許可となれば電気錠１０９を解錠して入退室を可能とする。また照合判定結果で不許可となれば、電気錠１０９を施錠して入退室を不可能にする。
【００１８】
次に、カードリーダ＃０（１０２）における判定処理方式について述べる。カードリーダ＃０（１０２）にＩＤコード“ＩＤ１”のカード１０３を読ませる。カードリーダ＃０（１０２）内部でＩＤコードの照合判定処理を行う。照合判定処理後、ＩＤコード“ＩＤ１”が許可されたものであれば、解錠フラグ１０４からＩＤコード“ＩＤ１”に該当する解錠フラグがＯＮかＯＦＦかを知る。ＩＤコードが許可されたもので且つ解錠フラグがＯＮだった場合、電気錠１０９を解錠する。ＩＤコードが不許可で解錠フラグがＯＦＦの場合、電気錠１０９を施錠とする。
【００１９】
次に、カードリーダ＃０（１０２）は読みとったカード１０３のＩＤコード“ＩＤ１”を通信回線１０５を通じて制御装置１０１に通知する。
【００２０】
制御装置１０１には解錠フラグデータベース１１１と、複数の入退室シーケンステーブル１１５，入退室シーケンステーブル１１６，入退室シーケンステーブル１１７が備えられており、カードリーダ＃０（１０２）またはカードリーダ＃１（１０６）から通知されたＩＤコードから解錠フラグの設定を行う。
【００２１】
解錠フラグデータベース１１１は、ＩＤコード１１２とそれに対応した入退室シーケンステーブル１１５〜１１７の一つを特定するための入退室シーケンステーブル番号１１３と現在カードリーダに設定してある解錠フラグ１１４から構成されている。
【００２２】
入退室シーケンステーブル１１５，１１６，１１７は、カード１０３を読ませたカードリーダに対して、他のどのカードリーダの解錠フラグをＯＮにするかＯＦＦにするかを設定する情報、および以前からの変更の有無を示すを持つ。たとえば、入退室シーケンステーブル１１５，１１６，１１７では、各フラグを２ビットで構成し、００＝ＯＦＦ、０１＝ＯＮ、１０＝変更なし、等のように定義することができる。入退室シーケンステーブル１１５〜１１７は入退室経路の種別の数だけ複数存在し、各カード１０３のＩＤコード毎に個別に割り当てることができる。
【００２３】
解錠フラグデータベース１１１と入退室シーケンステーブル１１５，１１６，１１７における解錠フラグは“０”の場合がＯＦＦ，“１”の場合がＯＮであるとする。
【００２４】
解錠フラグの書き換えが生じた場合、制御装置１０１は、通信回線１０５または通信回線１０８を通じて、カードリーダ＃０（１０２）またはカードリーダ＃１（１０６）に解錠フラグ１０４または解錠フラグ１０７を設定する。
【００２５】
以上のような構成の本実施の形態の入退室管理システムにおける作用（アクセスコントロール）の一例を、図２、図３および図４のフローチャートを参照しながら説明する。
【００２６】
まず、ステップＳ１でカードリーダ＃０（１０１）にカード１０３を読ませる。カードリーダ＃０（１０１）はステップＳ２でカード１０３が許可カードであるか判定する。判定結果が不許可の場合はステップＳ１９で電気錠１０９を施錠したままとして入退室を不許可とする。ステップＳ２で許可カードと判定した場合、ステップＳ３でカード１０３のＩＤコードの解錠フラグがＯＮかＯＦＦかを解錠フラグ１０４を参照して判定する。解錠フラグがＯＦＦの場合は、ステップＳ１９で電気錠１０９を施錠したままとする。解錠フラグがＯＮである場合、ステップＳ４で電気錠１０９を解錠して入退室を許可する。
【００２７】
ステップＳ５で、ステップＳ１で読みとったＩＤコード“ＩＤ１”を、カードリーダ＃０（１０２）が、制御装置１０１に通信回線１０５を通じて通知する。
【００２８】
ステップＳ６で、制御装置１０１は、解錠フラグデータベース１１１のカードのＩＤコード１１２の中からＩＤコード“ＩＤ１”を検索する。ステップＳ７で、ステップＳ６のＩＤコードの検索結果、“ＩＤ１”があった場合、ステップＳ８で、入退室シーケンステーブル番号１１３からＩＤコード“ＩＤ１”に割り当てられた入退室シーケンステーブル番号１２２として“▲１▼”を得る。
【００２９】
次に、ステップＳ９で入退室シーケンステーブル１１５（▲１▼）のカードリーダ番号１１８から、カードリーダ＃０を検索し、各カードリーダの解錠フラグ設定値１１９の中から、カードリーダ＃０でカード１０３を読んだときの解錠フラグ設定値１２０を読み出す。解錠フラグデータベース１１１の解錠フラグ１１４の中からカード１０３のＩＤコード“ＩＤ１”における解錠フラグ１２１を読み出す。ステップＳ１０で、解錠フラグ設定値１２０と現在の解錠フラグ１２１と比較し、ステップＳ１１で現在の解錠フラグ１２１に対して変更がある解錠フラグを抽出する。ステップＳ１２で、解錠フラグ設定値１２０の内容を、現在の解錠フラグ１２１に複写する。
【００３０】
この場合、カードリーダ＃１に対してのみ解錠フラグの変更がある。ステップＳ１３で、制御装置１０１は、通信回線１０８を通じてカードリーダ＃１（１０６）にＩＤコード“ＩＤ１”と解錠フラグ（本実施の形態の場合には変更部分のデータのみ）を通知する。ステップＳ１４で、カードリーダ＃１（１０６）は解錠フラグ１０７の書き換えを行い、ＩＤコード“ＩＤ１”における解錠フラグをＯＮとする。
【００３１】
ステップＳ１５で、カードリーダ＃１（１０６）にＩＤコード“ＩＤ１”のカード１０３を読ませる。ステップＳ１６で、カードリーダ＃１（１０６）内部でＩＤコードの照合判定処理を行い、不許可の場合はステップＳ２０で電気錠１１０を施錠したままとして入退室を不許可とする。ステップＳ１６で許可カードと判定した場合、ステップＳ１７でカード１０３のＩＤコードの解錠フラグがＯＮかＯＦＦかを解錠フラグ１０７を参照して判定する。解錠フラグがＯＦＦの場合は、ステップＳ２０で電気錠１１０を施錠したままとする。解錠フラグがＯＮである場合、ステップＳ１８で電気錠１０９を解錠して入退室を許可する。
【００３２】
上述のように、本実施の形態の入退室管理システムの場合には、カード１０３を読ませたカードリーダからの通知を契機として、制御装置１０１が、接続されている他の複数のカードリーダにおける解錠フラグを動的に設定することで、入退室の許可または不許可を制御することができる。
【００３３】
また、制御装置１０１から複数のカードリーダ１０２，１０６への解錠フラグの送信および変更に際して、以前からの変更部分のみを選択的に送信するので、フラグデータの削減により、通信回線１０５および通信回線１０８や、制御装置１０１およびカードリーダ１０２，１０６における負荷を軽減できる、という利点がある。このことは、カード１０３の枚数、すなわち利用者数や、カードリーダの数、すなわち出入口や部屋数の数の多い大規模なシステムに適用する場合に極めて有効となる。
【００３４】
図５は、複数の部屋構成において、上述のような本実施の形態の入退室管理システムを用いた入退室経路判定により、多様な入退室経路の設定を行う場合の一例を示す概念図である。また、図６および図７は、図５のような経路設定の場合において、各ＩＤコードのカードを各カードリーダに読ませた場合の解錠フラグの設定例を示す説明図である。
【００３５】
すなわち、図５の例では、複数の部屋２０１〜２０４（部屋１〜４）が田の字形に配置されている。そして、部屋１には、外部に通じる出入口にカードリーダ＃０（２０５）が設けられ、部屋１と部屋２の間の出入口にはカードリーダ＃１（２０６）が設けられ、部屋２と部屋３の間の出入口にはカードリーダ＃２（２０７）が設けられ、部屋３と部屋４の間の出入口にはカードリーダ＃３（２０８）が設けられ、部屋４と部屋１の間の出入口にはカードリーダ＃４（２０９）が設けられた構成となっている。
【００３６】
そして、このような部屋の配置構成において、互いに異なる複数の、ＩＤ１の入室経路２１０およびＩＤ２の入室経路２１１を設定する場合、図６および図７に例示されるような解錠フラグが設定される。
【００３７】
ＩＤコード“ＩＤ１”のカード１０３を、カードリーダ＃０（２０５）に読ませて部屋１に入室した場合、カードリーダ＃１（２０６）の解錠フラグをＯＮ，カードリーダ＃４（２０９）の解錠フラグをＯＦＦとすることにより、ＩＤコード“ＩＤ１”のカード１０３を使った場合は、部屋１から部屋２にしか行けず、部屋４に行くことはできない。カードリーダ＃１（２０６）にカード１０３を読ませて、部屋２に入室するとカードリーダ＃２（２０７）の解錠フラグをＯＮとする。カードリーダ＃２（２０７）にカード１０３を読ませ、部屋３に入室すると、カードリーダ＃３（２０８）の解錠フラグをＯＮとする。
【００３８】
一方、ＩＤコード“ＩＤ２”のカード１０３を使った場合、カードリーダ＃０（２０５）にカード１０３を読ませて部屋１に入室すると、カードリーダ＃４（２０９）の解錠フラグをＯＮにして部屋１から部屋４へ入室できる。
【００３９】
これにより、本実施の形態の入退室管理システムの場合には、ＩＤコード“ＩＤ１”のカードを使って部屋４に入室するためには、部屋２および部屋３を経由しなければならず、また、ＩＤコード“ＩＤ２”のカードを使えば、部屋１から部屋４へ直接入室することができ、ＩＤコード毎に互いに異なる多様な入室経路２１０、２１１を指定した入退室管理が実現できる。
【００４０】
以上説明したように、本実施の形態の入退室管理システムによれば、複数のＩＤコード毎に複数の部屋に跨がる多様な入退室経路の設定管理を、各ＩＤコードの所有者の入退室状況に応じて、動的に実現でき、複雑な部屋構成における状況に応じた多様な入退室管理を実現することができる。
【００４１】
【発明の効果】
本発明の入退室管理方法によれば、複数の部屋構成において複数の入退室経路を任意に設定することができる、という効果が得られる。
【００４２】
本発明の入退室管理方法によれば、複数の部屋構成において複数のカードＩＤ毎に複数の入退室経路を任意に設定することができる、という効果が得られる。
【００４３】
本発明の入退室管理システムによれば、複数の部屋構成において複数の入退室経路を任意に設定することができる、という効果が得られる。
【００４４】
本発明の入退室管理システムによれば、複数の部屋構成において複数のカードＩＤ毎に複数の入退室経路を任意に設定することができる、という効果が得られる。
【００４５】
本発明の入退室管理システムによれば、大きな情報通信の負荷を生じることなく、多数のカードＩＤ毎に複数の入退室経路を任意に設定することができる、という効果が得られる。
【図面の簡単な説明】
【図１】本発明の一実施の形態である入退室管理システムの構成の一例をブロック図である。
【図２】図３および図４とともに本発明の一実施の形態である入退室管理システムの作用の一例を示すフローチャートである。
【図３】図２および図４とともに本発明の一実施の形態である入退室管理システムの作用の一例を示すフローチャートである。
【図４】図２および図３とともに本発明の一実施の形態である入退室管理システムの作用の一例を示すフローチャートである。
【図５】本発明の一実施の形態である入退室管理システムを用いた入退室経路判定により、複数の部屋構成において、多様な入退室経路の設定を行う例を示す概念図である。
【図６】図５のような経路設定の場合において、各ＩＤコードのカードを各カードリーダに読ませた場合の解錠フラグの設定例を示す説明図である。
【図７】図５のような経路設定の場合において、各ＩＤコードのカードを各カードリーダに読ませた場合の解錠フラグの設定例を示す説明図である。
【符号の説明】
１０１  制御装置
１０２  カードリーダ
１０３  カード
１０４  解錠フラグ
１０５  通信回線
１０６  カードリーダ
１０７  解錠フラグ
１０８  通信回線
１０９  電気錠
１１０  電気錠
１１１  解錠フラグデータベース
１１２  ＩＤコード
１１３  入退室シーケンステーブル番号
１１４  解錠フラグ
１１５〜１１７  入退室シーケンステーブル
１１８  カードリーダ番号
１１９  解錠フラグ設定値
１２０  解錠フラグ設定値
１２１  解錠フラグ
１２２  入退室シーケンステーブル番号
２０１〜２０４  部屋
２０５〜２０９  カードリーダ
２１０，２１１  入室経路
【図１】
0003982938.tif 000002
【図２】
0003982938.tif 000003
【図３】
0003982938.tif 000004
【図４】
0003982938.tif 000005
【図５】
0003982938.tif 000006
【図６】
0003982938.tif 000007
【図７】
0003982938.tif 000008